(57)【特許請求の範囲】
【請求項１】
保持器の周方向で互いに間隔を隔てて配置され同時に保持器の半径方向に平行移動されてポケット境界部を同時に切断する二つのパンチと、ころ保持器を該保持器の周方向にポケット間隔だけ周期的に回転するための装置とを備えたころ保持器のポケットの打抜き加工装置において、隣接する二つのポケットを境界づけるウェブの案内面６を加工する一対のパンチが保持器の周方向で隣接ポケットの間隔の少なくとも二以上の整数倍とする間隔をもって設けられ、該一対のパンチの上記周方向で外側に位置する両面に形成されている刃３同士が、これらの刃３の間隔を二等分する位置での保持器の半径線に対して、互いに平行に形成され、上記刃３同士の上記間隔が保持器最大直径の少なくとも０．４倍に相当し、保持器の周方向における各パンチ１，２の有効打抜き幅が一つのポケット５の幅より小さいことを特徴とするころ保持器のポケットの打抜き加工装置。
【請求項２】
有効打抜き幅がポケット５の幅の０．５〜０．７倍であることとする請求項１に記載のころ保持器のポケットの打抜き加工装置。
【請求項３】
刃３は打抜き方向が保持器に関して半径方向内側から外側に向いていることとする請求項１又は請求項２に記載のころ保持器のポケットの打抜き加工装置。
【請求項４】
請求項１ないし請求項３のいずれか１つに記載のころ保持器のポケットの打抜き加工装置によって加工された該保持器の周方向に分布されたころ用ポケットを備えた保持器において、少なくとも三つの隣接する一群のポケット５のうち、保持器の周方向外側に位置する二つのポケットの同方向外側の案内面６同士が互いに平行で半径方向に延びていることを特徴とするころ保持器。
【発明の詳細な説明】
【０００１】
【発明の属する技術分野】
本発明は、保持器の周方向で互いに間隔を隔てて配置され同時に保持器の半径方向に平行移動されてポケット境界部を同時に切断する二つのパンチと、ころ保持器を該保持器の周方向にポケット間隔だけ周期的に回転するための装置とを備えたころ保持器のポケットの打抜き加工装置及びかかる加工装置によって加工された周方向に分布されたころ用ポケットを備えたころ保持器に関する。
【０００２】
【従来の技術】
米国特許第３５３５９６４号明細書において既に、互いに平行に延びる脚部が打ち抜き加工するための二つのパンチを有するように形成されている断面Ｕ字形の工具が知られている。この場合、互いに直接隣接しウェブで分離された二つのポケットは全長及び全幅にわたって同時に打ち抜き加工される。その際、周方向に見て二つパンチの外側刃が打抜き過程の際に、ポケットをまず境界づける縁部を加工し、内側刃がころ用の案内面を加工する。
【０００３】
次に、保持器を一ピッチだけ周期的（ステップ的）に回転した後、一方のパンチの外側刃が上述したように他方のパンチで加工されたウェブの側面に、このウェブ側面に極めて幅狭い縁を切り落しするため、従ってこのウェブ側面をこのポケットの反対側のウェブ側面と同一に形成するために、内側刃が差し向けられる。切落部の幅が壁厚方向にも僅かに狭まっていることによって、ローラを精密に案内しなければならないウェブ側面が保持器材料でひどく汚される。更にその汚れがパンチをポケットから取り外す際にパンチを締め付け、これによってウェブが変形してしまう。この公知の工具の他の欠点は、特に大きな直径の保持器の場合にころを半径方向にも保持できるような十分な傾きをもった案内面を形成できないことにある。これは特に細長いウェブを備えたニードルローラ保持器にも当てはまる。
【０００４】
更に、ポケットを外側から内側に打ち抜いて形成する場合、保持器の曲率のためにかさばった鈍角の打抜きまくれが突出し、これは高い経費をかけねば除去できないという欠点がある。
【０００５】
この公知の工具は上述の欠点のほかに、半径方向外側から加工される保持突起をサイドリングに近い範囲に成形するために、ポケットの長さにわたって段部も有している。しかしこれは本発明にとって問題ではない。
【０００６】
【発明が解決しようとする課題】
本発明の目的は、冒頭に述べた形式のころ保持器の打抜き加工装置及びこれによって製造されたころ保持器を、ウェブ側面を追加加工なしに製作でき、このウェブ側面が適切な精度を有し、欠点のない滑り面表面を有し、その場合パンチがポケット内で締付けを受けずに作業でき、ころの保持機能を与える意味で十分に傾いたウェブ側面が得られるように改良することにある。
【０００７】
【課題を解決するための手段及び発明の効果】
本発明によればこの目的は、保持器の加工装置に関しては、保持器の周方向で互いに間隔を隔てて配置され同時に保持器の半径方向に平行移動されてポケット境界部を同時に切断する二つのパンチと、ころ保持器を該保持器の周方向にポケット間隔だけ周期的に回転するための装置とを備えたころ保持器のポケットの打抜き加工装置において、隣接する二つのポケットを境界づけるウェブの案内面を加工する一対のパンチが保持器の周方向で隣接ポケットの間隔の少なくとも二以上の整数倍とする間隔をもって設けられ、該一対のパンチの上記周方向で外側に位置する両面に形成されている刃同士が、これらの刃の間隔を二等分する位置での保持器の半径線に対して、互いに平行に形成され、上記刃同士の上記間隔が保持器最大直径の少なくとも０．４倍に相当し、保持器の周方向における各パンチの有効打抜き幅が一つのポケットの幅より小さいことにより達成される。
又、上記目的は、保持器に関しては、上記加工装置によって加工された該保持器の周方向に分布されたころ用ポケットを備えた保持器において、少なくとも三つの隣接する一群のポケットのうち、保持器の周方向外側に位置する二つのポケットの同方向外側の案内面同士が互いに平行で半径方向に延びていることにより達成される。
【０００８】
本発明で得られる大きな利点はまず、両パンチの相対間隔が保持器直径に合わされて比較的幅広くなっていることにある。上述の値によって常に一つあるいは複数のポケットが両パンチ間に存在し、この両パンチ間のポケットはその周期的回転位置において加工されない。従って円周方向外側に位置する刃は保持器に対し非常に大きく傾斜して該保持器の表面に当たり、この個所で、既にころに合わされ傾斜されころ外周面に対して接線方向に延びる案内面を打ち抜く。
【０００９】
これによって保持器はころ中心軸線からより離れてころ外周面に接触し、従ってころは軽やかに案内され、ころにかじりが生ずる傾向は少なくなる。案内面は大きな傾きによって幅広くなり、多量の潤滑剤を収容できる。このように製作された案内面はそれ以上の打抜き加工あるいは切削加工を必要としない。上述の加工過程の際に円周方向においてポケット幅の半分より幾分大きく打抜き加工される。これは次の周期において他方のパンチにより、残存するポケット材料を補完的に打ち抜くために特に重要である。ポケット幅の約半分が残存することによって、この残存部の打抜き過程に対して最初の半分の打抜き過程に匹敵した関係が当てはまる。即ち、ウェブは打抜き力によって円周方向に押されず、保持器はむしろ大きな打抜き面によって自動的に位置を保持される。更に打抜きパンチはポケット内において、弾性復帰する材料によって締め付けられない。その結果、ポケットの寸法精度が高くなり、案内面の表面品質が高くなる。
【００１０】
【発明の実施の形態】
以下、添付図面に示した実施形態を参照して本発明を詳細に説明する。
【００１１】
二つのパンチ１，２を備え垂直に移動できる工具は保持器の周方向外側に刃３を有している。これらの刃３の相対間隔は保持器直径の０．４〜０．７倍あり、図示の例では約０．６倍に相当している。この工具は矢印のように昇降運動を行い、駆動装置（図示せず）によって駆動され、保持器の内部に配置されている。保持器は打抜き過程中においてパンチ１，２と協働するダイ４の上に置かれている。両パンチ１，２間に図示の打抜き過程中に加工されないポケット５が存在している。両パンチ１，２間の間隔が大きく設定されているので、ポケット５に関して互いに大きく傾斜されたころ８の案内面６が形成される。
【００１２】
図に示されているように、各打抜き過程においてポケット５はその半分より僅かに大きい程にしか打ち抜かれない。各打抜き過程によってポケット５の全長にわたって再加工を要しない案内面６が生ずる。この案内面６が保持器の半径線７に対して大きく傾いていることによって、この案内面６はかなり幅広くなり、ころ（補助的に図示）８に対しそのピッチ円９の外側で接触する。
【００１３】
内側から打ち抜くことによって大きく傾斜した案内面６に関連して、不可避の打抜きまくれはウェブ１１に鋭角１０をなすように生じ、従ってこの打抜きまくれは非常に弱く形成され、例えば円筒研削盤によって簡単に除去できる。
【００１４】
図示していない周期的回転装置が保持器を打抜き過程間にポケットピッチだけ矢印の方向に回転させる。続く打抜き過程においてまず右側に図示のパンチ１によってポケット幅の右側半部１２より幾分大きく打ち抜き加工される。ポケット５の右側案内面６はこれによって仕上げられる。ポケットピッチだけ更に周期的に回転した際、先に加工されたポケット５は両パンチ１，２の中心位置に移動される。この時点では、ほぼ半分の左側ポケット幅１３はまだ打ち抜かれていない。次のピッチ位置に継続して周期的に回転された後、左側に図示のパンチ２が上述のポケット５に差し向けられ、ポケット幅の残存する左側半部１３を打ち抜く。これによって左側案内面６が打ち抜き加工され、ポケット５が仕上げられる。
【００１５】
明らかに理解できるように、各パンチ１，２は確固として非常に幅広い材料部材を有し、即ちほぼ半分のポケット幅１２，１３を加工するための材料部材を有し、これによってウェブ１１に対して保持器の円周方向における横力は生ぜず、従ってこのウェブが横に押しのけられることはない。図示し上述した形式の装置によって、両パンチ１，２の外側刃３において互いに隣接する三つの一群のポケット５に互いに平行に延びる案内面６が生ずる。
【図面の簡単な説明】
【図１】本発明に基づくころ保持器のポケットの打抜き加工装置及び加工中の保持器の断面図である。
【符号の説明】
１  パンチ
２  パンチ
３  刃
５  ポケット
【図１】
0003830620.tif 000002